【手続補正書】
【提出日】平成30年7月24日(2018.7.24)
【手続補正１】
【補正対象書類名】特許請求の範囲
【補正対象項目名】全文
【補正方法】変更
【補正の内容】
【特許請求の範囲】
【請求項１】
ネットワークアクセス認証のための方法であって、
ネットワークの第１のデバイスにおいて、前記第１のデバイスを使用する支払取引の指示を受信することと、ここにおいて、前記支払取引の前記指示は支払データを備え、前記支払データは前記支払取引の認証のための情報を備え、
前記支払取引の前記指示を受信することに応答して、ユーザデバイスのためのネットワークアクセスを求める要求を前記ネットワークのアクセスポイントに通信することと、
前記アクセスポイントから第１のキーを受信することと、
前記第１のキーを前記ユーザデバイスに提供することと、
を備え、
ここにおいて、前記ユーザデバイスは、前記ネットワークアクセスを取得するために前記第１のキーを使用することになる、
方法。
【請求項２】
前記ユーザデバイスは、前記第１のキーに少なくとも部分的に基づいて第２のキーを生成するために、前記アクセスポイントと通信することになり、
前記ユーザデバイスはさらに、前記第２のキーにさらに基づいて前記ネットワークへのアクセスを取得するために、前記アクセスポイントと通信することになる、
請求項１に記載の方法。
【請求項３】
前記第１のキーは、帯域外（ＯＯＢ）チャネルを使用して前記ユーザデバイスに提供される、請求項１に記載の方法。
【請求項４】
前記アクセスポイントは、前記第１のキーおよび第２のキーを含む第１のキーのペアを生成することになり、
前記第１のキーは公開キーであり、前記第２のキーは秘密キーであり、
前記ユーザデバイスは、第３のキーおよび第４のキーを備える第２のキーのペアを生成することになり、
前記第３のキーは公開キーであり、前記第４のキーは秘密キーであり、
前記ユーザデバイスは、前記第１のキーのペアおよび前記第２のキーのペアに基づいて、前記ネットワークアクセスを取得するために、前記アクセスポイントと通信することになる、
請求項１に記載の方法。
【請求項５】
前記取引は、前記ユーザデバイスと前記第１のデバイスとの間のものである、請求項１に記載の方法。
【請求項６】
前記第１のキーが前記ユーザデバイスに提供されるとき、前記アクセスポイントによって生成された前記第１のキーのフォーマットが維持される、
請求項１に記載の方法。
【請求項７】
前記アクセスポイントは、前記ネットワークアクセスを求める前記要求を受信することに応答して、前記第１のキーを生成することになり、
前記第１のキーは対称キーである、
請求項１に記載の方法。
【請求項８】
前記ユーザデバイスはさらに、前記第１のキーに少なくとも部分的に基づいて前記ネットワークアクセスを取得するために、前記アクセスポイントと通信することになる、請求項１に記載の方法。
【請求項９】
コンピューティングデバイスであって、
プロセッサと、
プログラム命令を記憶したメモリと、
を備え、
前記プログラム命令は、前記コンピューティングデバイスに、
前記コンピューティングデバイスを使用する支払取引の指示を受信することと、ここにおいて、前記取引の前記指示は支払データを備え、前記支払データは前記支払取引の認証のための情報を備え、
前記支払取引の前記指示を受信することに応答して、ユーザデバイスのためのネットワークアクセスを求める要求をネットワークのアクセスポイントに通信することと、
前記アクセスポイントから第１のキーを受信することと、
前記第１のキーを前記ユーザデバイスに提供することと、
を行わせるように前記プロセッサによって実行可能であり、
ここにおいて、前記ユーザデバイスは、前記ネットワークアクセスを取得するために前記第１のキーを使用することになる、
コンピューティングデバイス。
【請求項１０】
前記ユーザデバイスは、前記第１のキーに少なくとも部分的に基づいて第２のキーを生成するために、前記アクセスポイントと通信することになり、
前記ユーザデバイスはさらに、前記第２のキーにさらに基づいて前記ネットワークへのアクセスを取得するために、前記アクセスポイントと通信することになる、
請求項９に記載のコンピューティングデバイス。
【請求項１１】
前記第１のキーは、帯域外（ＯＯＢ）チャネルを使用して前記ユーザデバイスに提供される、請求項９に記載のコンピューティングデバイス。
【請求項１２】
前記アクセスポイントは、前記第１のキーおよび第２のキーを含む第１のキーのペアを生成することになり、
前記第１のキーは公開キーであり、前記第２のキーは秘密キーであり、
前記ユーザデバイスは、第３のキーおよび第４のキーを備える第２のキーのペアを生成することになり、
前記第３のキーは公開キーであり、前記第４のキーは秘密キーであり、
前記ユーザデバイスは、前記第１のキーのペアおよび前記第２のキーのペアに基づいて、前記ネットワークアクセスを取得するために、前記アクセスポイントと通信することになる、
請求項９に記載のコンピューティングデバイス。
【請求項１３】
前記アクセスポイントは、前記ネットワークアクセスを求める前記要求を受信することに応答して、前記第１のキーを生成することになり、
前記第１のキーは対称キーである、
請求項９に記載のコンピューティングデバイス。
【請求項１４】
ネットワークアクセス認証のための方法であって、
ネットワークの第１のデバイスによって、ユーザデバイスのためのネットワークアクセスを求める要求を前記ネットワークのアクセスポイントに通信することと、
前記第１のデバイスにおいて、前記アクセスポイントから第１のキーを受信することと、
前記ユーザデバイスとの支払取引を処理することと、
ここにおいて、前記支払取引を処理することは、
前記第１のキーを前記ユーザデバイスに提供することと、
前記ユーザデバイスから第２のキーを受信することと、
を備え、
前記ユーザデバイスは、前記ネットワークアクセスを取得するために、前記第１のキーを使用することになり、
前記第２のキーを前記アクセスポイントに提供することと、
を備える、方法。
【請求項１５】
コンピューティングデバイスであって、
プロセッサと、
プログラム命令を記憶したメモリと、
を備え、
前記プログラム命令は、前記コンピューティングデバイスに、
ユーザデバイスのためのネットワークアクセスを求める要求をネットワークのアクセスポイントに通信することと、
前記アクセスポイントから第１のキーを受信することと、
前記ユーザデバイスとの支払取引を処理することと、
ここにおいて、前記支払取引を処理することは、
前記第１のキーを前記ユーザデバイスに提供することと、
前記ユーザデバイスから第２のキーを受信することと、
を備え、
前記ユーザデバイスは、前記ネットワークアクセスを取得するために、前記第１のキーを使用することになり、
前記第２のキーを前記アクセスポイントに提供することと、
を行わせるように前記プロセッサによって実行可能である、コンピューティングデバイス。
【手続補正２】
【補正対象書類名】明細書
【補正対象項目名】０１２１
【補正方法】変更
【補正の内容】
【０１２１】
[00127]  複数形の事例が、単一の事例としてここに説明されるコンポーネント、動作、または構造について提供され得る。最後に、様々なコンポーネント、動作およびデータストア間の境界は、いくぶん恣意的であり、特定の動作は、具体的な例示的な構成の文脈で例示される。機能性の他の割り振りが想定されており、本開示の範囲に含まれ得る。一般に、例示的な構成における別々のコンポーネントとして提示された構造および機能性は、組み合わされた構造またはコンポーネントとしてインプリメントされ得る。同様に、単一のコンポーネントとして提示された構造および機能性は、別々のコンポーネントとしてインプリメントされ得る。これらのおよび他の変形、修正、追加、および改善は、本開示の範囲に含まれ得る。
以下に、本願出願の当初の特許請求の範囲に記載された発明を付記する。
［Ｃ１］
ネットワークアクセスのための方法であって、
ネットワークの第１のデバイスにおいて、前記第１のデバイスを使用する取引の指示を受信することと、
前記取引の前記指示を受信することに応答して、ネットワークアクセスを求める要求を前記ネットワークのアクセスポイントに通信することと、
前記アクセスポイントから第１のキーを受信することと、
前記第１のキーをユーザデバイスに提供することと、
を備え、
ここにおいて、前記ユーザデバイスは、前記ネットワークアクセスを取得するために前記第１のキーを使用することになる、
方法。
［Ｃ２］
前記ユーザデバイスは、前記第１のキーに少なくとも部分的に基づいて第２のキーを生成するために、前記アクセスポイントと通信することになり、
前記ユーザデバイスはさらに、前記第２のキーにさらに基づいて前記ネットワークへのアクセスを取得するために、前記アクセスポイントと通信することになる、
Ｃ１に記載の方法。
［Ｃ３］
前記第１のキーは非対称キーであり、
前記第２のキーは対称キーである、
Ｃ２に記載の方法。
［Ｃ４］
前記第２のキーは、
ペアワイズマスターキー（ＰＭＫ）、
ペアワイズ一時キー（ＰＴＫ）、または、
事前共有キー（ＰＳＫ）
のうちの１つを備える、Ｃ２に記載の方法。
［Ｃ５］
前記第１のキーは、帯域外（ＯＯＢ）チャネルを使用して前記ユーザデバイスに提供される、Ｃ１に記載の方法。
［Ｃ６］
前記ＯＯＢチャネルは、
光チャネル、
近距離無線通信（ＮＦＣ）チャネル、
セルラチャネル、および、
Ｂｌｕｅｔｏｏｔｈチャネル、
から成るグループのうちの少なくとも１つのメンバを備える、Ｃ５に記載の方法。
［Ｃ７］
前記アクセスポイントは、前記第１のキーおよび第２のキーを含む第１のキーのペアを生成することになり、
前記第１のキーは公開キーであり、前記第２のキーは秘密キーであり、
前記ユーザデバイスは、第３のキーおよび第４のキーを備える第２のキーのペアを生成することになり、
前記第３のキーは公開キーであり、前記第４のキーは秘密キーであり、
前記ユーザデバイスは、前記第１のキーのペアおよび前記第２のキーのペアに基づいて、前記ネットワークアクセスを取得するために、前記アクセスポイントと通信することになる、
Ｃ１に記載の方法。
［Ｃ８］
前記取引は、前記ユーザデバイスと前記第１のデバイスとの間のものである、Ｃ１に記載の方法。
［Ｃ９］
前記第１のキーが前記ユーザデバイスに提供されるとき、前記アクセスポイントによって生成された前記第１のキーのフォーマットが維持される、
Ｃ１に記載の方法。
［Ｃ１０］
前記アクセスポイントは、前記ネットワークアクセスを求める前記要求を受信することに応答して、前記第１のキーを生成することになり、
前記第１のキーは対称キーである、
Ｃ１に記載の方法。
［Ｃ１１］
前記ユーザデバイスはさらに、前記第１のキーに少なくとも部分的に基づいて前記ネットワークアクセスを取得するために、前記アクセスポイントと通信することになる、Ｃ１に記載の方法。
［Ｃ１２］
コンピューティングデバイスであって、
プロセッサと、
プログラム命令を記憶したメモリと、
を備え、
前記プログラム命令は、前記コンピューティングデバイスに、
前記コンピューティングデバイスを使用する取引の指示を受信することと、
前記取引の前記指示を受信することに応答して、ネットワークアクセスを求める要求をネットワークのアクセスポイントに通信することと、
前記アクセスポイントから第１のキーを受信することと、
前記第１のキーをユーザデバイスに提供することと、
を行わせるように前記プロセッサによって実行可能であり、
ここにおいて、前記ユーザデバイスは、前記ネットワークアクセスを取得するために前記第１のキーを使用することになる、
コンピューティングデバイス。
［Ｃ１３］
前記ユーザデバイスは、前記第１のキーに少なくとも部分的に基づいて第２のキーを生成するために、前記アクセスポイントと通信することになり、
前記ユーザデバイスはさらに、前記第２のキーにさらに基づいて前記ネットワークへのアクセスを取得するために、前記アクセスポイントと通信することになる、
Ｃ１２に記載のコンピューティングデバイス。
［Ｃ１４］
前記第１のキーは非対称キーであり、
前記第２のキーは対称キーである、
Ｃ１３に記載のコンピューティングデバイス。
［Ｃ１５］
前記第２のキーは、
ペアワイズマスターキー（ＰＭＫ）、
ペアワイズ一時キー（ＰＴＫ）、または、
事前共有キー（ＰＳＫ）
のうちの１つを備える、Ｃ１３に記載のコンピューティングデバイス。
［Ｃ１６］
前記第１のキーは、帯域外（ＯＯＢ）チャネルを使用して前記ユーザデバイスに提供される、Ｃ１２に記載のコンピューティングデバイス。
［Ｃ１７］
前記アクセスポイントは、前記第１のキーおよび第２のキーを含む第１のキーのペアを生成することになり、
前記第１のキーは公開キーであり、前記第２のキーは秘密キーであり、
前記ユーザデバイスは、第３のキーおよび第４のキーを備える第２のキーのペアを生成することになり、
前記第３のキーは公開キーであり、前記第４のキーは秘密キーであり、
前記ユーザデバイスは、前記第１のキーのペアおよび前記第２のキーのペアに基づいて、前記ネットワークアクセスを取得するために、前記アクセスポイントと通信することになる、
Ｃ１２に記載のコンピューティングデバイス。
［Ｃ１８］
前記取引は、前記ユーザデバイスと前記第１のデバイスとの間のものである、Ｃ１２に記載のコンピューティングデバイス。
［Ｃ１９］
前記第１のキーが前記ユーザデバイスに提供されるとき、前記アクセスポイントによって生成された前記第１のキーのフォーマットが維持される、
Ｃ１２に記載のコンピューティングデバイス。
［Ｃ２０］
前記アクセスポイントは、前記ネットワークアクセスを求める前記要求を受信することに応答して、前記第１のキーを生成することになり、
前記第１のキーは対称キーである、
Ｃ１２に記載のコンピューティングデバイス。
［Ｃ２１］
ネットワークアクセスのための方法であって、
ネットワークの第１のデバイスによって、ネットワークアクセスを求める要求を前記ネットワークのアクセスポイントに通信することと、
前記第１のデバイスにおいて、前記アクセスポイントから第１のキーを受信することと、
ユーザデバイスとの支払取引を処理することと、
ここにおいて、前記支払取引を処理することは、
前記第１のキーを前記ユーザデバイスに提供することと、
前記ユーザデバイスから第２のキーを受信することと、
を備え、
前記ユーザデバイスは、前記ネットワークアクセスを取得するために、前記第１のキーを使用することになり、
前記第２のキーを前記アクセスポイントに提供することと、
を備える、方法。
［Ｃ２２］
前記ユーザデバイスは、前記第１のキーおよび前記第２のキーに少なくとも部分的に基づいて第３のキーを生成するために、前記アクセスポイントと通信することになり、
前記ユーザデバイスはさらに、前記第３のキーにさらに基づいて前記ネットワークアクセスを取得するために、前記アクセスポイントと通信することになる、
Ｃ２１に記載の方法。
［Ｃ２３］
前記支払取引を処理することはさらに、前記ユーザデバイスから支払データを受信することを備える、
Ｃ２１に記載の方法。
［Ｃ２４］
前記アクセスポイントは、前記支払取引の処理より前に、前記第１のキーを生成することになる、
Ｃ２１に記載の方法。
［Ｃ２５］
前記第１のキーは、帯域外（ＯＯＢ）チャネルを使用して前記ユーザデバイスに提供される、Ｃ２２に記載の方法。
［Ｃ２６］
コンピューティングデバイスであって、
プロセッサと、
プログラム命令を記憶したメモリと、
を備え、
前記プログラム命令は、前記コンピューティングデバイスに、
ネットワークアクセスを求める要求をネットワークのアクセスポイントに通信することと、
前記アクセスポイントから第１のキーを受信することと、
ユーザデバイスとの支払取引を処理することと、
ここにおいて、前記支払取引を処理することは、
前記第１のキーを前記ユーザデバイスに提供することと、
前記ユーザデバイスから第２のキーを受信することと、
を備え、
前記ユーザデバイスは、前記ネットワークアクセスを取得するために、前記第１のキーを使用することになり、
前記第２のキーを前記アクセスポイントに提供することと、
を行わせるように前記プロセッサによって実行可能である、コンピューティングデバイス。
［Ｃ２７］
前記ユーザデバイスは、前記第１のキーおよび前記第２のキーに少なくとも部分的に基づいて第３のキーを生成するために、前記アクセスポイントと通信することになり、
前記ユーザデバイスはさらに、前記第３のキーにさらに基づいて前記ネットワークアクセスを取得するために、前記アクセスポイントと通信することになる、
Ｃ２６に記載のコンピューティングデバイス。
［Ｃ２８］
前記支払取引を処理することはさらに、前記ユーザデバイスから支払データを受信することを備える、
Ｃ２６に記載のコンピューティングデバイス。
［Ｃ２９］
前記第１のキーは、帯域外（ＯＯＢ）チャネルを使用して前記ユーザデバイスに提供される、Ｃ２６に記載のコンピューティングデバイス。
［Ｃ３０］
前記アクセスポイントは、前記支払取引の処理より前に、前記第１のキーを生成することになる、
Ｃ２６に記載のコンピューティングデバイス。